(57)【特許請求の範囲】
【請求項１】
画像処理を行う画像処理部と，
装置の特定の構成要素である特定要素の状態変化を検知する検知部と，
前記特定要素の状態変化を実行条件に含む特定処理を行う特定処理部と，
前記特定処理の実行可能性が高いか否かを判断する判断部と，
前記画像処理に用いる構成要素に電力を供給する電力供給モードと，前記構成要素の電力消費量を前記電力供給モード時と比較して低減する省電力モードとを有し，モードを変更することで前記構成要素への給電状態を制御する第１給電部と，
前記判断部により前記特定処理の実行可能性が低いと判断された場合には，前記省電力モード中に前記検知部に電力を供給せず，前記判断部により前記特定処理の実行可能性が高いと判断された場合には，前記省電力モード中に前記検知部に電力を供給する第２給電部と，
を備え，
前記画像処理は，印刷であり，
前記特定要素は，開閉自在に設けられたカバーであり，
前記検知部は，少なくとも前記カバーが開状態であるか否かを検知するカバーセンサを含み，
前記特定処理は，色ずれ補正であり，
前記特定処理の実行条件は，前記検知部の検知結果に基づいて算出される想定色ずれ量が第１閾値以上であることを含み，
前記判断部は，前記想定色ずれ量が前記第１閾値よりも小さい第２閾値以上の場合に，前記特定処理の実行可能性が高いと判断し，
前記第２給電部は，前記判断部により前記特定処理の実行可能性が高いと判断された場合，前記省電力モード中に少なくとも前記カバーセンサに電力を供給することを特徴とする画像処理装置。
【請求項２】
請求項１に記載する画像処理装置において，
前記特定処理は，消耗品の新品を検知した際に実行する初期処理であり，
前記特定処理の実行条件は，消耗品の新品を検知したことであり，
前記判断部は，消耗品の交換条件を満たす場合に，前記特定処理の実行可能性が高いと判断することを特徴とする画像処理装置。
【請求項３】
請求項２に記載する画像処理装置において，
前記消耗品は，トナーであり，
前記交換条件は，トナーエンプティが検出されていること，
であることを特徴とする画像処理装置。
【請求項４】
画像処理を行う画像処理部と，
装置の特定の構成要素である特定要素の状態変化を検知する検知部と，
前記特定要素の状態変化を実行条件に含む特定処理を行う特定処理部と，
前記特定処理の実行可能性が高いか否かを判断する判断部と，
前記画像処理に用いる構成要素に電力を供給する電力供給モードと，前記構成要素の電力消費量を前記電力供給モード時と比較して低減する省電力モードとを有し，モードを変更することで前記構成要素への給電状態を制御する第１給電部と，
前記判断部により前記特定処理の実行可能性が低いと判断された場合には，前記省電力モード中に前記検知部に電力を供給せず，前記判断部により前記特定処理の実行可能性が高いと判断された場合には，前記省電力モード中に前記検知部に電力を供給する第２給電部と，
前記画像処理部での印刷に利用される感光体と，
装置内に気流を形成するファンと，
を備え，
前記画像処理は，印刷であり，
前記特定要素は，開閉自在に設けられたカバーであり，
前記検知部は，少なくとも前記カバーが開状態であるか否かを検知するカバーセンサを含み，
前記特定処理は，前記ファンの回転処理であり，
前記特定処理の実行条件は，前記感光体の寿命を検知していることであり，
前記判断部は，前記感光体の寿命を検知している場合に，前記特定処理の実行可能性が高いと判断し，
前記第２給電部は，前記判断部により前記特定処理の実行可能性が高いと判断された場合，前記省電力モード中に少なくとも前記カバーセンサに電力を供給することを特徴とする画像処理装置。
【請求項５】
画像処理を行う画像処理部と，
装置の特定の構成要素である特定要素の状態変化を検知する検知部と，
前記特定要素の状態変化を実行条件に含む特定処理を行う特定処理部と，
前記特定処理の実行可能性が高いか否かを判断する判断部と，
前記画像処理に用いる構成要素に電力を供給する電力供給モードと，前記構成要素の電力消費量を前記電力供給モード時と比較して低減する省電力モードとを有し，モードを変更することで前記構成要素への給電状態を制御する第１給電部と，
前記判断部により前記特定処理の実行可能性が低いと判断された場合には，前記省電力モード中に前記検知部に電力を供給せず，前記判断部により前記特定処理の実行可能性が高いと判断された場合には，前記省電力モード中に前記検知部に電力を供給する第２給電部と，
を備え，
前記画像処理は，印刷であり，
前記特定要素は，用紙を収容する収容部であり，
前記特定処理は，前記収容部内の用紙の有無を記憶する記憶部に現在の用紙の有無を記憶する記憶処理であり，
前記検知部は，少なくとも前記収容部が開状態であるか否かを検知する収容センサを含み，
前記判断部は，前記収容部で用紙無しが検出されている場合に，前記特定処理の実行可能性が高いと判断し，
前記第２給電部は，前記判断部により前記特定処理の実行可能性が高いと判断された場合，前記省電力モード中に少なくとも前記収容センサに電力を供給することを特徴とする画像処理装置。
【請求項６】
請求項１から請求項５のいずれか１つに記載する画像処理装置において，
前記特定処理は，消耗品の新品を検知した際に実行する初期処理であり，
前記特定処理の実行条件は，消耗品の新品を検知したことであり，
前記検知部は，少なくとも新品の消耗品が装着されたか否かを検知する新品センサを含み，
前記判断部は，消耗品の交換条件を満たす場合に，前記特定処理の実行可能性が高いと判断し，
前記第２給電部は，前記判断部により前記特定処理の実行可能性が高いと判断された場合，前記省電力モード中に少なくとも前記新品センサに電力を供給することを特徴とする画像処理装置。
【発明の詳細な説明】
【技術分野】
【０００１】
本発明は，消費電力を抑える省電力モードを有する画像処理装置に関する。
【背景技術】
【０００２】
従来から，プリンタやスキャナ等の画像を扱う画像処理装置では，省電力化を実現するため，装置が使用されていない間，一部の構成要素への電力供給を制限して消費電力を抑える省電力モードに移行するものがある。
【０００３】
例えば，特許文献１では，省電力モードを有する画像形成装置であって，省電力モード中であってもカバーの状態変化を検知するセンサあるいは温度を検知するセンサへの給電は継続し，省電力モード中に発生したカバーの状態変化や温度変化を記憶すること，さらに省電力モードから通常モードへの復帰時には，記憶した内容に基づいて位置ずれ補正制御を行うか否かを判断することが開示されている。
【先行技術文献】
【特許文献】
【０００４】
【特許文献１】特開２０１１−１９７１１８号公報
【発明の概要】
【発明が解決しようとする課題】
【０００５】
しかしながら，前記した従来の技術には，次のような問題があった。すなわち，特許文献１に開示された技術では，省電力モード中であっても，カバーの状態変化を検知するセンサや温度を検知するセンサへの給電は継続する。そのため，更なる省電力化を図る上では改善の余地がある。
【０００６】
本発明は，前記した従来の技術が有する問題点を解決するためになされたものである。すなわちその課題とするところは，省電力モード中における消費電力量を抑えることができる画像処理装置を提供することにある。
【課題を解決するための手段】
【０００７】
この課題の解決を目的としてなされた画像処理装置は，画像処理を行う画像処理部と，装置の特定の構成要素である特定要素の状態変化を検知する検知部と，前記特定要素の状態変化を実行条件に含む特定処理を行う特定処理部と，前記特定処理の実行可能性が高いか否かを判断する判断部と，前記画像処理に用いる構成要素に電力を供給する電力供給モードと，前記構成要素の電力消費量を前記電力供給モード時と比較して低減する省電力モードとを有し，モードを変更することで前記構成要素への給電状態を制御する第１給電部と，前記判断部により前記特定処理の実行可能性が低いと判断された場合には，前記省電力モード中に前記検知部に電力を供給せず，前記判断部により前記特定処理の実行可能性が高いと判断された場合には，前記省電力モード中に前記検知部に電力を供給する第２給電部とを備えることを特徴としている。
【０００８】
本明細書により開示される画像処理装置は，画像処理に用いる構成要素への給電状態を制御するモードとして，電力供給モードと省電力モードとを有している。本明細書でいう画像処理は，画像の印刷であっても画像の読み取りであってもよい。さらに，画像処理装置は，省電力モード中の制御として，特定処理の実行可能性が高い場合には，特定処理の実行判断に利用される検知部に給電し，特定処理の実行可能性が低い場合には，その検知部に給電しない。
【０００９】
すなわち，本明細書により開示される画像処理装置は，省電力モード中，特定処理の実行可能性が高い状況では，その特定処理の実行判断に必要な検知部に給電する。これにより，省電力モード中であっても，特定処理の実行条件を満たした場合には，直ちに特定処理を実行できる。その結果として，例えば特定処理に伴う印刷遅延の抑制が期待できる。一方，特定処理の実行可能性が低い状況では，検知部に給電したとしてもその供給電力が無駄になる可能性が高い。そこで，特定処理の実行可能性が低い状況では検知部に給電しないようにすることで，省電力モード中であっても検知部に常時給電する形態と比較して，省電力効果が高くなる。
【００１０】
また，前記画像処理は，印刷であり，前記特定要素は，開閉自在に設けられたカバーであり，前記検知部は，少なくとも前記カバーが開状態であるか否かを検知するカバーセンサを含み，前記第２給電部は，前記判断部により前記特定処理の実行可能性が高いと判断された場合，前記省電力モード中に少なくとも前記カバーセンサに電力を供給するとよい。カバーの状態変化は，装置内へのユーザ操作（消耗品の交換や可燃スプレーの吹き掛け）が伴うことが多く，色ずれ補正やファンの回転等の特定処理の実行条件に含まれる。そこで，特定処理の実行可能性が高い状況においては，省電力モードであってもカバーセンサに給電し，早期の特定処理の実行に対応する方が好ましい。
【００１１】
また，前記特定処理は，色ずれ補正であり，前記特定処理の実行条件は，前記検知部の検知結果に基づいて算出される想定色ずれ量が第１閾値以上であることを含み，前記判断部は，前記想定色ずれ量が前記第１閾値よりも小さい第２閾値以上の場合に，前記特定処理の実行可能性が高いと判断するとよい。省電力モード中であっても，カバーの状態変化が行われると想定色ずれ量が変化する。そのため，想定色ずれ量が第２閾値よりも多いような状況，すなわち想定色ずれ量が第１閾値に近付いている状況では，省電力モード中に想定色ずれ量が第１閾値を超えて特定処理の実行条件を満たしてしまうことも考えられる。そこで，そのような状況では，カバーセンサへの給電は遮断しない方が好ましい。
【００１２】
また，前記特定処理は，消耗品の新品を検知した際に実行する初期処理であり，前記特定処理の実行条件は，消耗品の新品を検知したことであり，前記判断部は，消耗品の交換条件を満たす場合に，前記特定処理の実行可能性が高いと判断するとよい。消耗品としては，例えば，トナー，感光体，搬送ベルトが該当する。消耗品を交換した場合は，その消耗品に対して初期処理を行う必要がある。消耗品の交換は省電力モード中であっても可能であり，省電力モード中であっても消耗品が交換されると初期処理の実行条件を満たすことになる。この初期処理は，早期に完了しておいた方が印刷開始の遅延を回避する上で好ましい。そこで，消耗品の交換の可能性が高い状況（例えば，消耗品がトナーであればトナーエンプティが検出されている状況）では，カバーセンサへの給電は遮断しない方が好ましい。
【００１３】
また，本明細書により開示される画像処理装置は，前記画像処理部での印刷に利用される感光体と，装置内に気流を形成するファンとを備え，前記特定処理は，前記ファンの回転処理であり，前記特定処理の実行条件は，前記感光体の寿命を検知していることであり，前記判断部は，前記感光体の寿命を検知している場合に，前記特定処理の実行可能性が高いと判断するとよい。省電力モード中，ユーザが可燃性ガススプレー等によって装置内部をメンテナンスすることがある。この場合，メンテナンス直後の画像形成では，装置内に滞留する可燃性ガスの影響でプリンタに不具合が発生する恐れがあるため，画像形成前に念のために装置内の換気を行う方が望ましい。そこで，不具合の可能性が高い場合（例えば，感光体の劣化に伴う放電が発生し易い状況）では，カバーセンサへの給電は遮断しない方が好ましい。
【００１４】
また，前記画像処理は，印刷であり，前記特定要素は，用紙を収容する収容部であり，前記特定処理は，前記収容部内の用紙の有無を記憶する記憶部に現在の用紙の有無を記憶する記憶処理であり，前記検知部は，少なくとも前記収容部が開状態であるか否かを検知する収容センサを含み，前記判断部は，前記収容部で用紙無しが検出されている場合に，前記特定処理の実行可能性が高いと判断し，前記第２給電部は，前記判断部により前記特定処理の実行可能性が高いと判断された場合，前記省電力モード中に少なくとも前記収容センサに電力を供給するとよい。収容部の開放を用紙のセットと見做す場合，省電力モード中の収容部の開放を検知していないと，電力供給モードに復帰した際に用紙無しとして誤報知してしまうことが考えられる。そこで，収容部内に用紙がセットされる可能性が高い場合（例えば，用紙無しが検出されている状況）では，省電力モードであっても収容センサへの給電は遮断しない方が好ましい。
【００１５】
また，本明細書により開示される画像処理装置は，前記画像処理は，印刷であり，前記特定処理は，消耗品の新品を検知した際に実行する初期処理であり，前記特定処理の実行条件は，消耗品の新品を検知したことであり，前記検知部は，少なくとも新品の消耗品が装着されたか否かを検知する新品センサを含み，前記判断部は，消耗品の交換条件を満たす場合に，前記特定処理の実行可能性が高いと判断し，前記第２給電部は，前記判断部により前記特定処理の実行可能性が高いと判断された場合，前記省電力モード中に少なくとも前記新品センサに電力を供給する画像処理装置を含んでいる。
【発明の効果】
【００１６】
本発明によれば，省電力モード中における消費電力量を抑えることができる画像処理装置が実現される。
【図面の簡単な説明】
【００１７】
【図１】実施の形態にかかるＭＦＰの外観を示す斜視図である。
【図２】図１に示したＭＦＰの内部構成を示す断面図である。
【図３】図１に示したＭＦＰの電気的構成を示すブロック図である。
【図４】給電制御系の構成を示すブロック図である。
【図５】実施の形態にかかる省電力移行処理の手順を示すフローチャートである。
【図６】実施の形態にかかる電力復帰処理の手順を示すフローチャートである。
【図７】実施の形態にかかるカバー開閉対応処理の手順を示すフローチャートである。
【図８】実施の形態にかかるトレイ開閉対応処理の手順を示すフローチャートである。
【図９】応用形態にかかる省電力移行処理の手順を示すフローチャートである。
【発明を実施するための形態】
【００１８】
以下，本発明にかかる画像処理装置を具体化した実施の形態について，添付図面を参照しつつ詳細に説明する。本形態は，消費電力を抑える省電力モードを有する複合機（ＭＦＰ：Multi Function Peripheral ）に本発明を適用したものである。
【００１９】
［ＭＦＰの構成］
本形態のＭＦＰ１００は，図１に示すように，カバー１５と，本体の下側に位置し，用紙に画像を印刷する画像形成部１０（画像処理部の一例）と，本体の上側に位置し，原稿の画像を読み取る画像読取部２０（画像処理部の一例）とを備えている。カバー１５の一部は，開閉自在に設けられており，開状態にすることで装置内部の消耗品の交換が可能になる。一方，閉状態にすることで印刷や読み取りが可能になる。
【００２０】
画像形成部１０は，印刷前のシートをその印字面が上向きになるように収容する給紙トレイ９１（収容部の一例）と，印刷後のシートをその印刷面が下向きになるように載置する排紙トレイ９２とを備えている。
【００２１】
画像読取部２０は，読み取り前の原稿をその読み取り面が上向きになるように収容する原稿トレイ２１と，読み取り後の原稿をその読み取り面が下向きになるように載置する排紙トレイ２２とを有し，原稿を１枚ずつ原稿トレイ２１から排紙トレイ２２に搬送する自動搬送装置（ＡＤＦ：Auto Document Feeder ）２５を備えている。
【００２２】
また，ＭＦＰ１００は，その前面側に，各種のボタン（例えば，スタートキー，ストップキー，テンキーの各ボタン）によって構成されるボタン群４１と，液晶ディスプレイからなる表示部４２とを備えた操作パネル４０を備えている。このボタン群４１や表示部４２により，動作状況の表示やユーザによる操作の入力が可能になっている。
【００２３】
また，操作パネル４０には，動作モードの移行指示を受け付けるパワーボタン４１１が含まれる。具体的に，ＭＦＰ１００は，動作モードとして，電力供給モードと省電力モードとを有する。そして，電力供給モードで動作中に，パワーボタン４１１の押下を受け付けると，省電力モードに移行する。一方，省電力モードで動作中に，パワーボタン４１１の押下を受け付けると，電力供給モードに移行する。電力供給モードおよび省電力モードの詳細については後述する。
【００２４】
図２は，画像形成部１０の構成を示している。画像形成部１０は，電子写真方式によってトナー像を形成し，そのトナー像を用紙に転写するプロセス部５０と，プロセス部５０に光を照射する露光装置５３と，用紙上の未定着のトナーを定着させる定着装置８と，画像転写前の用紙を載置する給紙トレイ９１と，画像転写後の用紙を載置する排紙トレイ９２と，プロセス部５０の転写位置に用紙を搬送する搬送ベルト７と，装置内から装置外に向かう気流を発生させるファン９とを備えている。
【００２５】
また，ＭＦＰ１００内には，底部に位置する給紙トレイ９１に収容された用紙が，給紙ローラ７１，レジストローラ７２，プロセス部５０，定着装置８を通り，排紙ローラ７６を介して上部の排紙トレイ９２への導かれるように，略Ｓ字形状の搬送路１１（図２中の一点鎖線）が設けられている。
【００２６】
プロセス部５０は，カラー画像の形成が可能であり，シアン（Ｃ），マゼンタ（Ｍ），イエロー（Ｙ），ブラック（Ｋ）の各色に対応するプロセス部を並列に配置している。具体的には，Ｃ色の画像を形成するプロセス部５０Ｃと，Ｍ色の画像を形成するプロセス部５０Ｍと，Ｙ色の画像を形成するプロセス部５０Ｙと，Ｋ色の画像を形成するプロセス部５０Ｋとを備えている。そして，用紙の搬送方向において，下流側からプロセス部５０Ｃ，５０Ｍ，５０Ｙ，５０Ｋの順に等間隔に配置されている。なお，プロセス部の順番はこれに限定するものではない。
【００２７】
プロセス部５０Ｋは，ドラム状の感光体１と，感光体１の表面を一様に帯電する帯電装置２と，静電潜像に対してトナーによる現像を行う現像装置４と，感光体１上のトナー像を用紙に転写させる転写装置５とを有している。感光体１および転写装置５は，搬送ベルト７に対して接触配置されている。そして，感光体１は，転写装置５に対して搬送ベルト７を挟んで対向している。他のプロセス部５０Ｃ，５０Ｍ，５０Ｙについても，プロセス部５０Ｋと同様の構成である。
【００２８】
また，各プロセス部５０Ｃ，５０Ｍ，５０Ｙ，５０Ｋのうち，現像装置４は，ＭＦＰ１００本体に対して着脱可能なカートリッジになっている。そのため，トナーが無くなった場合は，カバー１５を開放し，現像装置４が個別に交換される。なお，本形態では，現像装置４がカートリッジであるものとして説明するが，例えば，現像装置４を構成するトナータンクのみが着脱可能なカートリッジであっても，現像装置４と感光体１とが一組で着脱可能なカートリッジであってもよい。
【００２９】
各プロセス部５０Ｃ，５０Ｍ，５０Ｙ，５０Ｋでは，感光体１の表面が帯電装置２によって一様に帯電される。その後，露光装置５３からの光により露光され，用紙に形成すべき画像の静電潜像が感光体１上に形成される。次いで，現像装置４を介して，トナーが感光体１に供給される。これにより，感光体１上の静電潜像は，トナー像として可視像化される。
【００３０】
画像形成部１０は，給紙トレイ９１に載置されている用紙を１枚ずつ取り出し，その用紙を搬送ベルト７上に搬送する。そして，プロセス部５０にて形成されたトナー像をその用紙に転写する。このとき，カラー印刷では，各プロセス部５０Ｃ，５０Ｍ，５０Ｙ，５０Ｋにてトナー像が形成され，用紙上で各トナー像が重ね合わせられる。一方，モノクロ印刷では，プロセス部５０Ｋのみでトナー像が形成され，用紙に転写される。その後は，トナー像が転写された用紙を定着装置８に搬送し，トナー像をその用紙に熱定着させる。そして，定着後の用紙を排紙トレイ９２に排出する。
【００３１】
［ＭＦＰの電気的構成］
続いて，ＭＦＰ１００の電気的構成について説明する。ＭＦＰ１００は，図３に示すように，ＣＰＵ３１と，ＲＯＭ３２と，ＲＡＭ３３と，ＮＶＲＡＭ（Non Volatile RAM）３４（記憶部の一例）とを備えた制御部３０を有している。
【００３２】
制御部３０は，画像形成部１０と，画像読取部２０と，操作パネル４０と，各構成要素への給電状態を制御する給電制御系６０と，ネットワークインターフェース３６，ＦＡＸインターフェース３７，ＵＳＢインターフェース３８等の，各種のインターフェースと，カバーセンサ８１，トレイセンサ８２等の，各種のセンサ（検知部の一例）とに電気的に接続している。
【００３３】
ＲＯＭ３２は，ＭＦＰ１００を制御するための各種制御プログラムや画像処理プログラム，各種設定，初期値等を記憶している。ＲＡＭ３３は，各種制御プログラムが読み出される作業領域として，あるいは画像読取部２で読み取った原稿の画像データや各種のインターフェースを介して送られてくる画像データを一時的に記憶する記憶領域として，利用される。ＮＶＲＡＭ３４は，不揮発性を有する記憶手段であって，各種設定や画像データ等を保存する記憶領域として利用される。
【００３４】
ＣＰＵ３１は，ＭＦＰ１００における画像読取機能，画像形成機能等の各種機能を実現するための演算を実行し，制御の中枢となるものである。ＣＰＵ３１は，ＲＯＭ３２から読み出した制御プログラムに従って，その処理結果をＲＡＭ３３またはＮＶＲＡＭ３４に記憶させながら，ＭＦＰ１００の各構成要素を制御する。
【００３５】
ネットワークインターフェース３６は，ネットワークに接続され，このネットワークインターフェース３６を介して他の情報処理装置とのデータ通信を可能にしている。また，ＦＡＸインターフェース３７は，公衆回線に接続され，このＦＡＸインターフェース３７を介して外部のＦＡＸ装置等とのデータ通信を可能にしている。また，ＵＳＢインターフェース３８は，ＵＳＢメモリや他の情報機器（カードリーダ等）と直接接続され，このＵＳＢインターフェース３８を介して情報機器等とのデータ通信を可能にしている。
【００３６】
カバーセンサ８１は，カートリッジ等の消耗品の交換や装置内のメンテナンスにあたって開放されるカバー１５が開状態であるか否かを検知するセンサである。また，トレイセンサ８２は，用紙の補充にあたって開放される給紙トレイ９１が開状態であるか否かを検知するセンサである。カバーセンサ８１およびトレイセンサ８２の出力信号は，制御部３０の他，後述する給電制御系６０にも送られる。
【００３７】
［給電制御］
続いて，ＭＦＰ１００の給電制御について説明する。ＭＦＰ１００は，給電制御系６０（第１給電部，第２給電部の一例）として，図４に示すように，電源部６１と，電源部６１から供給される電力をＭＦＰ１００の各種構成要素に分配するスイッチ回路６２と，スイッチ回路６２の各種スイッチの状態を制御する給電制御部６３とを有している。給電制御部６３は，制御部３０から独立して動作し，独自にＣＰＵ６３１およびメモリ６３２を備える。
【００３８】
電源部６１は，例えば商用電源あるいはバッテリと接続し，適切な電力に変換する回路で構成され，変換後の電力をＭＦＰ１００の各種構成要素に供給する。スイッチ回路６２は，給電制御部６３から出力される命令に基づいて，ＭＦＰ１００の各種構成要素に給電するか否かを切り換える。具体的にＭＦＰ１００には，画像形成部１０や画像読取部２０への電源系統，制御部３０への電源系統，パワーボタン４１１を除く操作パネル４０への電源系統，各種インターフェースへの電源系統，各種センサへの電源系統，パワーボタン４１１への電源系統の，各種の電源系統がある。スイッチ回路６２は，各電源系統への給電のオンオフを切り換える。
【００３９】
ここで，給電制御系６０が有する動作モードについて説明する。給電制御系６０は，画像の読み取りや印刷が可能な電力供給モードと，画像の読み取りや印刷が不可能となる省電力モードとを有している。
【００４０】
具体的に，電力供給モードでは，画像形成部１０，画像読取部２０，制御部３０，操作パネル４０，各インターフェース，各センサの全てに給電が行われ，印刷動作やスキャン動作が可能になる。一方，省電力モードでは，画像形成部１０，画像読取部２０，制御部３０，パワースイッチ４１１を除く操作パネル４０，各種インターフェースへの給電が停止する。また，必要に応じて各種センサへの給電が停止する。すなわち，省電力モードは，電力供給モードと比較して電力消費量が少ない動作モードであり，印刷および読み取りが不可能になる。なお，パワースイッチ４１１への給電は継続するため，パワースイッチ４１１の入力は受け付ける。このパワースイッチ４１１への入力は，給電制御部６３が検知する。
【００４１】
給電制御系６０は，ＭＦＰ１００の起動直後は電力供給モードで動作する。そして，印刷も読み取りもユーザ操作もなく，ＭＦＰ１００の不使用状態が継続している連続時間（以下，「不使用時間」とする）が所定時間以上となった場合，あるいはパワーボタン４１１の押下を検知した場合，電力供給モードから省電力モードに移行する。
【００４２】
給電制御部６３は，モードが変更される度に，スイッチ回路６２に対して各種電源系統への給電をオンオフする信号を入力する。なお，給電制御部６３は，電源部６１から直接給電され，省電力モード中も常に動作する。そのため，省電力モード中であってもスイッチ回路６２を制御することができる。また，給電制御部６３は，電力供給モードから省電力モードに移行する際，カバーセンサ８１およびトレイセンサ８２への給電を継続するか否かをセンサごとに決定する。各センサへの給電制御の詳細については後述する。
【００４３】
［省電力移行処理］
続いて，電力供給モードから省電力モードに移行する際の処理である省電力移行処理（判断部，第１給電部，第２給電部の一例）の手順について，図５のフローチャートを参照しつつ説明する。省電力移行処理は，電力供給モード中に省電力モードへの移行条件を満たしたことを契機に，給電制御部６３のＣＰＵ６３１によって実行される。なお，省電力モードへの移行条件としては，例えばパワーボタン４１１の押下や，不使用時間が所定時間以上となった場合が該当する。
【００４４】
省電力移行処理では，先ず，省電力モードへの移行に先立って，各種のセンサに対して給電を継続するか否かを，センサごとに決定する。具体的には，カバーセンサ８１への給電継続判断として，カバー１５の開閉によって生じる各プロセス部の位置ずれ量（いわゆる色ずれ量）の推測値である仮想色ずれ量を計算する（Ｓ１０１）。カバー１５を開閉すると，その振動や衝撃によって各色のプロセス部に機械的な位置ずれが生じる。また，プロセス部がカバー１５に取り付けられている場合には，カバー１５の開閉によって位置ずれが生じ易い。カラー印刷では各プロセス部で形成した画像を重ね合わせてカラー画像を形成するため，プロセス部に位置ずれが生じると正しい位置に画像を重ねることができず，画質が低下することになる。そこで，ＭＦＰ１００は，各プロセス間の距離を正確に把握するための色ずれ補正を実施し，各プロセス間の距離に合わせて露光タイミング等を調整する。この色ずれ補正は，色ずれ量が大きくなっていることが想定されるタイミング，すなわち仮想色ずれ量が閾値Ａよりも大きくなっていることを条件として実行される。
【００４５】
仮想色ずれ量は，例えば，１回のカバーの開閉によって生じる色ずれ量Ｓｃ，前回の色ずれ補正以後のカバー開閉回数Ｃｃ，温度が１度変化することによって生じる色ずれ量Ｓｔ，前回の色ずれ補正時との温度差Ｄｔをパラメータとして，次の式（１）によって求められる。
仮想色ずれ量＝Ｓｃ×Ｃｃ＋Ｓｔ×Ｄｔ        （１）
なお，仮想色ずれ量には，カートリッジの着脱によって生じる色ずれ量を加算してもよい。また，仮想色ずれ量には，湿度が１％変化することによって生じる色ずれ量を加算してもよい。仮想色ずれ量は，ＮＶＲＡＭ３４に記憶される。
【００４６】
次に，Ｓ１０１で算出した仮想色ずれ量が，プレ閾値αよりも大きいか否かを判断する（Ｓ１０２，判断部の一例）。ＭＦＰ１００は，仮想色ずれ量が閾値Ａよりも大きくなった場合に，色ずれ補正を実行する。仮想色ずれ量は，上述したようにカバーの開閉回数によって加算される値であり，カバーの開閉は省電力モード中であってもユーザによって行われる可能性がある。そのため，省電力モード中であっても仮想色ずれ量に変化が生じることがあり，省電力モード中に仮想色ずれ量が閾値Ａよりも大きくなることもがある。一方，色ずれ補正は，各プロセス部５０Ｃ，５０Ｍ，５０Ｙ，５０Ｋにて検査用のマーク画像を複数形成し，そのマークを測定する処理が必要であり，時間がかかる。そのため，電力供給モードに復帰した際に色ずれ補正を実行すると，印刷を開始するまでに時間がかかることが予想される。そのため，色ずれ補正の実行条件を満たした場合には，早期に色ずれ補正を実行した方が，印刷開始の遅延を抑制できる。そこで，Ｓ１０２では，閾値Ａよりも僅かに小さい値をプレ閾値αとし，色ずれ補正の実行条件を満たす可能性が高い状態であるか否かを判断する。具体的に，プレ閾値αは，閾値Ａから，１回あるいは数回のカバー開閉によって生じる色ずれ量を引いた値とする。
【００４７】
仮想色ずれ量がプレ閾値αよりも大きい場合には（Ｓ１０２：ＹＥＳ），省電力モード中にて所定回数以内のカバー開閉によって色ずれ補正の実行条件を満たすことから，色ずれ補正の実行条件を満たす可能性が高い状態と判断し，カバーセンサ８１への給電継続を決定する（Ｓ１１１）。
【００４８】
一方，仮想色ずれ量がプレ閾値α以下の場合には（Ｓ１０２：ＮＯ），省電力モード中に，カバー１５の開閉によって色ずれ補正の実行条件を満たす可能性が低い。そこで，カバーセンサ８１への給電継続を決定せず，次の判断として，感光体１の消耗度が閾値Ｂより大きいか否かを判断する（Ｓ１０３，判断部の一例）。感光体１の消耗度は，例えば感光体１の回転数や今までの印字処理による印字枚数によって求められる。
【００４９】
ＭＦＰ１００は，感光体１の消耗度が閾値Ｂよりも大きく，かつカバー１５の開閉が行われた場合に，ファン９を一定期間回転させるファン回転処理を実行する。すなわち，感光体１が消耗していると，画像形成時に放電が発生し易くなる。一方，省電力モード中，ユーザがカバー１５を開放し，可燃性スプレー等によって装置内をメンテナンスすることがある。その場合，そのスプレーガスが装置内に残ると，画像形成時の放電の影響で不具合が発生するおそれがある。そのため，感光体１が消耗した状態でカバー１５を開放した後は，画像形成前にファン９を回転させて装置内を換気する方が安全である。
【００５０】
そこで，Ｓ１０３では，ファン回転処理の実行条件を満たす可能性が高い状態であるか否かを判断する。感光体１の消耗度が閾値Ｂより大きい場合には（Ｓ１０３：ＹＥＳ），カバー１５の開閉によってファン回転処理の実行条件を満たすことから，ファン回転処理の実行条件を満たす可能性が高い状態と判断し，カバーセンサ８１への給電継続を決定する（Ｓ１１１）。
【００５１】
一方，感光体１の消耗度が閾値Ｂ以下の場合には（Ｓ１０３：ＮＯ），省電力モード中に，カバー１５の開閉によってファン回転処理の実行条件を満たす可能性が低い。そこで，カバーセンサ８１への給電継続を決定せず，次の判断として，トナーエンプティ状態であるか否かを判断する（Ｓ１０４，判断部の一例）。トナーエンプティは，光学センサによって判断してもよいし，今までの印刷処理による印字枚数や印字ドットカウンタ等から推測してもよい。
【００５２】
ＭＦＰ１００は，新品のトナーが収容されているカートリッジ（以下，「新品のカートリッジ」とする）の装着を検知した場合，現像バイアス補正，ガンマ補正等の初期処理，を実行する。なお，トナーの装着によって，色ずれ補正の実行条件を満たす場合には，色ずれ補正を実行してもよい。トナーエンプティ状態では，カートリッジが交換される可能性が高い。一方，初期処理には，色ずれ補正と同様に時間がかかる。そのため，電力供給モードに復帰した際に初期処理を実行すると，印刷を開始するまでに時間がかかる。このことから，新品のカートリッジが装着された場合には，早期に初期処理を開始した方が，印刷開始の遅延を抑制できる。
【００５３】
そこで，Ｓ１０４では，トナーの残量に基づいて，初期処理の実行条件を満たす可能性が高い状態であるか否かを判断する。トナーエンプティ状態の場合には（Ｓ１０４：ＹＥＳ），新品のカートリッジに交換される可能性が高いことから，初期処理の実行条件を満たす可能性が高いと判断し，カバーセンサ８１への給電継続を決定する（Ｓ１１１）。なお，新品のカートリッジに限らず，中古のカートリッジであったとしもカートリッジが交換された場合には初期処理を実行する方が好ましい。そのため，前回装着されていたカートリッジと異なるカートリッジが装着されたことを検知できる構成（例えばカートリッジに記憶されているシリアル番号を照合）であれば，前回装着されていたカートリッジと異なるカートリッジが装着されたことを条件として，初期処理を実行してもよい。
【００５４】
一方，トナーエンプティが検出されていない状態の場合には（Ｓ１０４：ＮＯ），新品のトナーの装着のためにカバー１５が開放される可能性が低く，省電力モード中に，カバー１５の開閉によって初期処理が実行される可能性は低い。すなわち，Ｓ１０２〜Ｓ１０４の判断結果が全てＮＯの場合，カバー１５の状態変化を実行条件に含む各種処理の実行可能性が低いことから，カバーセンサ８１への給電停止を決定する（Ｓ１０５）。
【００５５】
Ｓ１０５あるいはＳ１１１の後は，次にトレイセンサ８２への給電継続判断として，用紙無し状態であるか否かを判断する（Ｓ１０６，判断部の一例）。
【００５６】
ＭＦＰ１００は，給紙トレイ９１に用紙が収容されているか否かを判断する用紙センサを具備していない。その代わりに，ＭＦＰ１００は，印刷開始が指示された際，給紙ローラ７１が用紙ピック動作を所定回数連続して失敗した場合に用紙無しとして判断し，操作パネル４０に用紙無しとして報知する。用紙の有無状態は，ＮＶＲＡＭ３４に記憶する。また，ＭＦＰ１００は，電源投入時，あるいは省電力モードから電力供給モードへの移行時，用紙のピック動作（すなわち印刷）を行わない限り，ＮＶＲＡＭ３４に記憶されている情報から給紙トレイ９１内の用紙の有無を判断し，用紙無しの場合には用紙無しとして操作パネル４０に報知する。一方，用紙有りの判断は，給紙トレイ９１が開放状態になったか否かによって行う。すなわち，給紙トレイ９１が開放状態になった場合には，用紙がセットされたと見做して用紙有りと判断する。そして，ＭＦＰ１００は，給紙トレイ９１内の用紙の有無状態が変更された場合には，ＮＶＲＡＭ３４に記憶されている情報を書き換える変更処理を実行する。
【００５７】
上記の構成のＭＦＰ１００では，用紙無し状態の場合，省電力モード中の給紙トレイ９１の開放を検知していないと，省電力モード中に給紙トレイ９１を開放して用紙を補充したとしても，電力供給モードに復帰した際に用紙無しとして誤報知してしまう。つまり，ＭＦＰ１００は，用紙状態を正確に表示するには，用紙無しの状態中，給紙トレイ９１の開閉を常に確認する必要がある。そこで，用紙無しの状態の場合には（Ｓ１０６：ＹＥＳ），省電力モード中に変更処理の実行条件を満たす可能性が高いと判断し，トレイセンサ８２への給電継続を決定する（Ｓ１１２）。
【００５８】
一方，用紙有り状態の場合には（Ｓ１０６：ＮＯ），用紙のピック動作（すなわち印刷）を行わない限り，用紙の有無状態は変更されない。つまり，ＭＦＰ１００は，省電力モード中に給紙トレイ９１を開放して用紙をセットする可能性は低いため，変更処理の実行条件を満たす可能性が低いことから，トレイセンサ８２への給電停止を決定する（Ｓ１０７）。
【００５９】
Ｓ１０７あるいはＳ１１２の後，ＭＦＰ１００を省電力モードに移行する（Ｓ１０８，第１給電部，第２給電部の一例）。Ｓ１０８の処理を実行する際，カバーセンサ８１およびトレイセンサ８２への給電は，Ｓ１０５，Ｓ１１１，Ｓ１０７，Ｓ１１２での決定に従う。なお，給電制御部６３は，センサごとに給電中か否かを記憶するフラグをメモリ６３２に記憶している。Ｓ１０８では，各センサの給電状態の変更に伴ってそのフラグも更新する。Ｓ１０８の後，省電力移行処理を終了する。
【００６０】
［電力復帰処理］
続いて，省電力モードから電力供給モードに移行する際の処理である電力復帰処理（特定処理部，第１給電部，第２給電の一例）の手順について，図６のフローチャートを参照しつつ説明する。電力復帰処理は，省電力モードへの移行が完了したことを条件に，給電制御部６３のＣＰＵ６３１によって実行される。
【００６１】
電力復帰処理では，先ず，カバーセンサ８１に給電中であるか否かを判断する（Ｓ１３１）。Ｓ１３１の判断は，給電制御部６３のメモリ６３２に記憶されているフラグの状態に基づいて行う。
【００６２】
カバーセンサ８１に給電中の場合（Ｓ１３１：ＹＥＳ），カバーセンサ８１がカバー１５について開位置から閉位置に変化したことを検知したか否かを判断する（Ｓ１３２）。開位置から閉位置への変化を検知した場合には（Ｓ１３２：ＹＥＳ），カバー１５の開閉に対応する処理であるカバー開閉対応処理を実行する（Ｓ１４１）。
【００６３】
図７は，Ｓ１４１のカバー開閉対応処理の詳細手順を示している。カバー開閉対応処理では，先ず，ＭＦＰ１００の画像形成部１０および制御部３０への給電を再開する（Ｓ１５１）。すなわち，一時的に画像形成が可能な状態にする。なお，Ｓ１５１では，画像形成部１０，制御部３０の他，各種インターフェースへの給電も再開してもよい。また，電力供給モードと同等の給電状態をしてもよい。
【００６４】
次に，感光体の消耗度が閾値Ｂより大きいか否か，すなわちファン回転処理の実行条件を満たすか否かを判断する（Ｓ１５２）。感光体の消耗度が閾値Ｂより大きい場合には（Ｓ１５２：ＹＥＳ），ファン回転処理を実行する（Ｓ１６１，特定処理部の一例）。このファン回転処理によって装置内が換気される。また，このファン回転処理は，カバー開閉対応処理中，画像形成を伴う処理（例えば後述するＳ１６３の色ずれ補正）よりも先に実行される。
【００６５】
Ｓ１６１の後，あるいは感光体の消耗度が閾値Ｂ以下の場合には（Ｓ１５２：ＮＯ），トナーの新品検査を実行する（Ｓ１５３）。トナーの新品検査は，特開２００５−５５５４４号公報に開示されているような公知の技術を適用すればよい。例えば，ＭＦＰ１００に装着されたとき，駆動伝達系の一部が所定量変位するカートリッジであって，カートリッジが新品のときの変位量と，カートリッジが中古のときの変位量とが異なる場合，その変位量を検知して新品か否かを判断する。この場合，変位量を検知するセンサについても給電が継続される。
【００６６】
次に，Ｓ１５３の結果に基づいて，新品トナーがあるか否かを判断する（Ｓ１５４）。新品トナーがある場合には（Ｓ１５４：ＹＥＳ），その新品トナーのカートリッジについて，現像バイアス補正やガンマ補正等の初期処理を実行する（Ｓ１６２，特定処理部の一例）。なお，Ｓ１６２では，その新品トナーのカートリッジについて，印字枚数等のトナーに関するカウンタ情報もクリアする。
【００６７】
Ｓ１６２の後，あるいは新品トナーがない場合には（Ｓ１５４：ＮＯ），仮想色ずれ量を計算する（Ｓ１５５）。Ｓ１５５の計算方法は，前述した省電力移行処理のＳ１０１の処理と同様である。
【００６８】
次に，Ｓ１５５の結果に基づいて，仮想色ずれ量が閾値Ａより大きいか否かを判断する（Ｓ１５６）。仮想色ずれ量が閾値Ａより大きい場合には（Ｓ１５６：ＹＥＳ），色ずれ補正を実行する（Ｓ１６３，特定処理部の一例）。色ずれ補正の実行後は，カバーの開閉回数および仮想色ずれ量が０に初期化される。
【００６９】
Ｓ１６３の後，あるいは仮想色ずれ量が閾値Ａ以下の場合には（Ｓ１５６：ＮＯ），Ｓ１５１で再開した画像形成部１０および制御部３０への給電を再度停止する（Ｓ１５７）。すなわち，画像形成が不可な状態に戻す。なお，Ｓ１５１にて他の構成要素にも給電を再開した場合には，当該他の構成要素への給電も停止する。Ｓ１５７の後，カバー開閉対応処理を終了する。
【００７０】
図６の説明に戻り，Ｓ１４１のカバー開閉対応処理の後，あるいはカバーセンサ８１が開位置から閉位置に変化したことを検知していない場合には（Ｓ１３２：ＮＯ），あるいはカバーセンサ８１に給電していない場合（Ｓ１３１：ＮＯ），トレイセンサ８２に給電中であるか否かを判断する（Ｓ１３３）。Ｓ１３３の判断は，給電制御部６３のメモリ６３２に記憶されているフラグの状態に基づいて行う。
【００７１】
トレイセンサ８２に給電中の場合（Ｓ１３３：ＹＥＳ），トレイセンサ８２が給紙トレイ９１について開位置から閉位置に変化したことを検知したか否かを判断する（Ｓ１３４）。開位置から閉位置への変化を検知した場合には（Ｓ１３４：ＹＥＳ），給紙トレイ９１の開閉に対応する処理であるトレイ開閉対応処理を実行する（Ｓ１４２）。
【００７２】
図８は，Ｓ１４２のトレイ開閉対応処理の詳細手順を示している。トレイ開閉対応処理では，先ず，ＭＦＰ１００の制御部３０への給電を再開する（Ｓ１８１）。そして，ＮＶＲＡＭ３４に記憶されている用紙有無の情報を用紙無しから用紙有りに変更する変更処理を実行する（Ｓ１８２，特定処理部の一例）。
【００７３】
次に，トレイセンサ８２への給電も停止する（Ｓ１８３）。すなわち，用紙が補充されたと判断した後は，用紙有りと判断されるため，用紙のピック動作を行わない限りは用紙無し状態にはならない。用紙無し状態にならない限り，変更処理の実行条件を満たさないため，給紙トレイ９１の開閉は確認不要となる。そこで，省電力化を優先し，トレイセンサ８２への給電を即時に停止する。なお，トレイセンサ８２への給電停止に伴ってメモリ６３２に記憶されているフラグも更新する。
【００７４】
Ｓ１８３の後，Ｓ１８１で再開した制御部３０への給電を再度停止する（Ｓ１８４）。Ｓ１８４の後，トレイ開閉対応処理を終了する。
【００７５】
図６の説明に戻り，Ｓ１４２のトレイ開閉対応処理の後，あるいはトレイセンサ８２が開位置から閉位置に変化したことを検知していない場合には（Ｓ１３４：ＮＯ），あるいはトレイセンサ８２に給電していない場合（Ｓ１３３：ＮＯ），電力供給モードへの復帰条件を満たしたか否かを判断する（Ｓ１３５）。本形態では，パワーボタン４１１の押下を電力供給モードへの復帰条件とする。
【００７６】
電力供給モードへの復帰条件を満たしていない場合には（Ｓ１３５：ＮＯ），Ｓ１３１に戻る。電力供給モードへの復帰条件を満たした場合には（Ｓ１３５：ＹＥＳ），電力供給モードに移行する（Ｓ１３６）。Ｓ１３６の後，電力復帰処理を終了する。
【００７７】
以上詳細に説明したように本形態のＭＦＰ１００は，省電力モードへの移行時，色ずれ補正等の特定処理の実行可能性が高い状況では，その特定処理の実行判断に必要なカバーセンサ８１等の検知部への給電を継続する。これにより，省電力モード中であっても，特定処理の実行条件を満たした場合には，直ちに特定処理を実行できる。その結果として，例えば装置の不具合や特定処理に伴う印刷遅延の抑制が期待できる。一方，特定処理の実行可能性が低い状況では，検知部に給電したとしてもその供給電力が無駄になる可能性が高い。そこで，特定処理の実行可能性が低い状況では検知部に給電しないようにすることで，省電力モード中であっても検知部に常時給電する形態と比較して，省電力効果が高くなる。
【００７８】
なお，本実施の形態は単なる例示にすぎず，本発明を何ら限定するものではない。したがって本発明は当然に，その要旨を逸脱しない範囲内で種々の改良，変形が可能である。例えば，ＭＦＰに限らず，プリンタ，コピー機，スキャナ，ＦＡＸ装置等，画像形成機能あるいは画像読取機能を備えるものであれば適用可能である。また，画像形成部１０の画像形成方式は，本形態のような電子写真方式に限るものではなく，インクジェット方式であってもよい。
【００７９】
また，実施の形態では，給電制御部６３が全ての構成要素の給電管理を行っているが，これに限るものではない。例えば，制御対象ごとに給電管理を行う専用基板を設けてもよい。
【００８０】
また，実施の形態では，省電力モード中，制御部３０や操作パネル４０や各種インターフェースへの給電を停止しているが，ユーザのパネル操作や外部装置からのジョブを受け付ける場合は，これらの構成要素に給電を継続してもよい。
【００８１】
また，実施の形態では，パワーボタン４１１の押下によって，省電力モードから電力供給モードに復帰しているが，電力供給モードへの復帰条件はこれに限るものではない。例えば，外部装置からのジョブの受信を契機に電力供給モードに復帰してもよい。この場合，省電力モードであっても外部装置からのジョブを受け付けるインターフェース（ネットワークインターフェース３６等）および制御部３０への給電は継続する。
【００８２】
また，実施の形態では，画像形成部１０の各センサへの給電制御として，検知部をカバーセンサ８１（あるいはトレイセンサ８２），特定処理をファン回転処理，新品トナー検知時の初期処理，色ずれ補正（あるいは用紙状態の変更処理）としているが，画像読取部２０の各センサについても給電制御を行ってもよい。例えば，原稿を読み取るＣＣＤ光源のウォームアップ処理には時間がかかる。一方で，原稿トレイ２１に原稿が無い状態から原稿が載置された場合には，読み取り指示が入力される蓋然性が高い。このことから，原稿トレイ２１に原稿が載置されていない状態で省電力モードに移行する場合には，原稿トレイ２１上の原稿の有無を検知する原稿検知センサへの給電を継続し，原稿の載置を検知したことを条件としてウォームアップ処理を開始する。これにより，読み取り開始の遅延を抑制できる。なお，この場合，原稿検知センサが検知部，ＣＣＤ光源のウォームアップ処理が特定処理に該当する。
【００８３】
また，実施の形態の省電力移行処理中，Ｓ１０２，Ｓ１０３，Ｓ１０４，およびＳ１０６の判断は，必ずしも全て行う必要はない。これらの判断のうち，少なくとも１つを実行すればよい。そして，電力復帰処理では，省電力移行処理で判断した条件に対応するセンサの検知，および処理の実行判断を行えばよい。
【００８４】
また，実施の形態では，カバーの開放によって着脱される消耗品としてカートリッジを適用しているが，これに限るものではない。例えば，感光体１や搬送ベルト７であってもよい。この場合，初期処理としては，例えば，消耗品が感光体１であれば濃度補正が該当し，消耗品が搬送ベルト７であれば色ずれ補正が該当する。また，消耗品の交換条件としては，例えば，消耗品が感光体１であれば印刷枚数や回転数や放電エラーの発生頻度が該当し，消耗品が搬送ベルト７であれば印刷枚数や色ずれ補正失敗頻度が該当する。
【００８５】
また，実施の形態では，カバーセンサ８１の開閉と新品検知との両方を，消耗品の初期処理の実行条件に含めているが，カバーセンサ８１の開閉を実行条件に含めず，新品検知を実行条件としてもよい。この場合，省電力移行処理では，図９に示すように，トナーエンプティ状態の場合には（Ｓ１０４：ＹＥＳ），カートリッジが新品か否かを検知する新品センサへの給電継続を決定する（Ｓ２１１）。一方，トナーエンプティ状態以外の場合には（Ｓ１０４：ＮＯ），新品センサへの給電停止を決定する（Ｓ２０５）。すなわち，新品センサへの給電を判断する。そして，電力復帰処理では，新品センサが給電継続中であれば新品センサの状態を判断し，新品センサが新品を検知した場合には初期処理を実行する。なお，図９中，図５と同じ符号については同じ処理を意味する。
【００８６】
また，実施の形態では，新品検知と色ずれ補正とについて，１つのカバー１５の開閉によって実行可否を決定しているが，それぞれ別のカバーであってもよい。例えば，消耗品を装着するための第１カバーと，用紙ジャムに対するメンテナンスを行う第２カバーとが別にある構成では，新品検知では第１カバーの開閉によって実行可否を決定し，色ずれ補正は第１カバーおよび第２カバーの両方の開閉によって実行可否を決定してもよい。この場合，ＭＦＰには，第１カバーの開閉を検知する第１センサと，第２カバーの開閉を検知する第２センサとがあり，省電力モード中，新品検知の実行可能性が高ければ第１センサへの給電を継続し，色ずれ補正の実行可能性が高ければ第１センサおよび第２センサへの給電を継続する。
【００８７】
また，実施の形態に開示されている処理は，単一のＣＰＵ，複数のＣＰＵ，ＡＳＩＣなどのハードウェア，またはそれらの組み合わせで実行されてもよい。また，実施の形態に開示されている処理は，その処理を実行するためのプログラムを記録した記録媒体，または方法等の種々の態様で実現することができる。
【符号の説明】
【００８８】
４      現像装置（カートリッジ）
１０    画像形成部
１５    カバー
２０    画像読取部
６０    給電制御系
８１    カバーセンサ
８２    トレイセンサ
９１    給紙トレイ
１００  ＭＦＰ
４１１  パワーボタン
【図１】
0005880837.tif 000002
【図２】
0005880837.tif 000003
【図３】
0005880837.tif 000004
【図４】
0005880837.tif 000005
【図５】
0005880837.tif 000006
【図６】
0005880837.tif 000007
【図７】
0005880837.tif 000008
【図８】
0005880837.tif 000009
【図９】
0005880837.tif 000010